(57)【要約】【課題】表示部の短手方向の基板空き領域への出っ張りを最小限に抑制できるようにすると共に、表示部を含む装置全体の形態を縦方向に比べて横方向が長くなる横長化できるようにする。【解決手段】画素電極の各々に対応して接続された複数のＳＥＧ配線１３，１４と、対向電極の各々に対応して接続された複数のＣＯＭ配線１５，１６とが格子状を成して情報を表示する表示部１２と、表示部１２のＣＯＭ配線及びＳＥＧ配線に接続され、画素電極及び対向電極間に所定の電圧を印加して画素の表示駆動をする表示ドライバ１１とを備え、表示部１２は、長手方向に所定の幅を有し、かつ、短手方向に所定の高さを有して所定の大きさの情報表示基板１０１に配置され、表示ドライバ１１は、表示部１２の長手方向の一方側に隣接する基板空き領域に配置されるものである。【選択図】図１
2012098418.tif 000002
【特許請求の範囲】
【請求項１】
一画素を画定する画素電極を有し、かつ、当該画素電極に対向する位置に対向電極を有して、前記画素電極の各々に対応して接続された複数の画素配線と前記対向電極の各々に対応して接続された複数の対向配線とが格子状を成して情報を表示する表示部と、
前記表示部の対向配線及び画素配線に接続され、前記画素電極及び対向電極間に所定の電圧を印加して前記画素の表示駆動をする駆動部とを備え、
前記表示部は、長手方向に所定の幅を有し、かつ、短手方向に所定の高さを有して所定の大きさの基板に配置され、
前記駆動部は、
前記表示部の長手方向の一方側に隣接する基板空き領域に配置されていることを特徴とする情報表示装置。
【請求項２】
前記表示部は、前記駆動部に対向する側に角部を有し、
前記駆動部は、前記表示部に対向する側に角部を有し、
前記駆動部は、前記表示部の短手方向と並行する側に前記画素配線を接続するための複数の画素電極用の端子部が設けられ、かつ、前記長手方向と並行する側に前記対向配線を接続するための複数の対向電極用の端子部が設けられ、
前記画素配線は、
前記表示部の短手方向から引き出され、当該短手方向と略直交する前記表示部の長手方向に沿って当該表示部の角部に至り、当該角部を迂回する形態で前記画素電極用の端子部に接続され、
前記対向配線は、
前記短手方向と略直交する前記表示部の長手方向から引き出され、前記駆動部の近くまで延在され、当該駆動部の角部を迂回する形態で、前記対向電極用の端子部に接続されることを特徴とする請求項１に記載の情報表示装置。
【請求項３】
前記表示部の角部を迂回する前記画素配線の部分と、前記駆動部の角部を迂回する前記対向配線の部分とが卍状に交差することを特徴とする請求項２に記載の情報表示装置。
【請求項４】
前記表示部は、前記駆動部に対向する側に第１及び第２の角部を有し、
前記駆動部は、前記表示部に対向する側に第１及び第２の角部を有し、
前記駆動部は、
前記表示部の短手方向と並行する側に前記画素配線の所定数を接続するための複数の画素電極用の第１の端子部と、
前記表示部の短手方向と並行する側に前記画素配線の残り数を接続するための複数の画素電極用の第２の端子部が設けられ、
かつ、前記表示部の長手方向と並行する一方の側に前記対向配線の所定数を接続するための複数の対向電極用の第１の端子部と、
前記表示部の長手方向と並行する他方の側に前記対向配線の残り数を接続するための複数の対向電極用の第２の端子部とが設けられ、
前記画素配線の所定数は、
前記表示部の短手方向の一端から引き出され、当該短手方向と略直交する前記表示部の長手方向に沿って当該表示部の第１の角部に至り、当該第１の角部を迂回する形態で前記画素電極用の第１の端子部に接続され、
前記画素配線の残り数は、
前記表示部の短手方向の他端から引き出され、当該短手方向と略直交する前記表示部の長手方向に沿って当該表示部の第２の角部に至り、当該第２の角部を迂回する形態で前記画素電極用の第２の端子部に接続され、
前記対向配線の所定数は、
前記表示部の短手方向と略直交する前記表示部の長手方向から引き出され、前記駆動部の近くまで延在され、当該駆動部の第１の角部を迂回する形態で、前記対向電極用の第１の端子部に接続され、
前記対向配線の残り数は、
前記表示部の短手方向と略直交する前記表示部の長手方向から引き出され、前記駆動部の近くまで延在され、当該駆動部の第２の角部を迂回する形態で、前記対向電極用の第２の端子部に接続されることを特徴とする請求項１に記載の情報表示装置。
【請求項５】
前記表示部の第１の角部を迂回する前記画素配線の所定数の部分と、前記駆動部の第１の角部を迂回する前記対向配線の所定数の部分とが卍状に交差され、
前記表示部の第２の角部を迂回する前記画素配線の残り数の部分と、前記駆動部の第２の角部を迂回する前記対向配線の残り数の部分とが逆向きの卍状に交差されることを特徴とする請求項４に記載の情報表示装置。
【請求項６】
前記表示部が所定の長辺及び短辺を成す大きさの表示領域を有し、
前記画素配線の所定数が、
前記表示部の短手方向の一端であって、前記駆動部から最も離れた前記表示領域の端部から順次、当該表示領域の中央部に至り引き出されて前記画素電極用の第１の端子部に接続され、
前記画素配線の残り数が、
前記表示部の短手方向の他端であって、当該表示部の表示領域の中央部から順次、前記駆動部に最も接近する位置に至り引き出されて前記画素電極用の第２の端子部に接続され、
前記対向配線の所定数が、
前記表示部の短手方向と略直交する前記表示部の表示領域の上端部の長手方向からその中央部に至り引き出されて前記対向電極用の第１の端子部に接続され、
前記対向配線の残り数が、
前記表示部の短手方向と略直交する前記表示部の表示領域の中央部から下端部に至りの長手方向から引き出されて前記対向電極用の第２の端子部に接続され、
前記表示部の表示領域の長辺及び短辺の各々の略中央部を基準に４分割して当該表示部を表示駆動する場合に、分割された前記表示領域の上下及び左右に画像を表示するための各々のデータを、前記表示領域の上下及び左右を各々反転させ、前記表示部の長手方向で隣り合う左右の画像を入れ替えた画像データを分割画像データとしたとき、
前記駆動部は、
前記表示部の長手方向において、前記表示領域の一端から中央部に至る部分と当該中央部から他端に至る部分の前記分割画像データを区分して前記画像電極側基板に伝送し、
前記表示部の短手方向において、前記表示領域の中央部からそれぞれの端部に至り走査される走査信号を区分して前記対向電極側基板に伝送し、
前記分割画像データ及び前記走査信号に基づいて前記表示部を表示駆動することを特徴とする請求項４に記載の情報表示装置。
【請求項７】
前記表示部は、
液晶を配光膜で挟んだ液晶層と、
一画素毎に画素電極を有し、かつ、偏光板、ガラス板及び画素電極用の透明導電膜を有して前記画素配線が引き出された画素電極側基板と、
前記画素電極に対向する位置に対向電極を有し、かつ、偏光板、ガラス板及び対向電極用の透明導電膜を有して前記対向配線が引き出された対向電極側基板とを備え、
前記画素電極側基板と対向電極側基板とで前記液晶層を挟み込んだ液晶表示基板を有することを特徴とする請求項１乃至５に記載の情報表示装置。
【請求項８】
前記表示部は、
少なくとも、走査線用の透明導電膜を有した陽極、正孔を輸送する正孔輸送層、光を発する発光層、電子を輸送する電子輸送層及びデータ線用の透明導電膜を有した陰極を有する有機ＥＬ薄膜と、
カバー用のガラス基板と、
封止用のガラス基板とを備え、
前記カバー用のガラス板と封止用のガラスとで前記有機ＥＬ層を挟み込んだ有機ＥＬ表示基板を有することを特徴とする請求項１乃至５に記載の情報表示装置。
前記表示変換器の画面データが表示装置に送信される通信部を備えたことを特徴とする
請求項４に記載の情報表示装置。
【請求項９】
画像データを無線又は有線方式によって送信する情報処理装置と、
前記情報処理装置から無線又は有線方式で前記画像データを受信し、当該画像データに基づく画像を表示する表示装置とを備え、
前記表示装置には前記請求項１乃至８に記載のいずれかの情報表示装置が含まれることを特徴とする情報表示システム。
【請求項１０】
前記表示装置には、
所定の長辺及び短辺を成す大きさの表示領域を有する表示部が設けられ、
前記情報処理装置は、
前記表示装置の表示領域の長辺及び短辺の各々の略中央部を基準に４分割し、当該表示部を表示駆動する場合に、
分割された前記表示領域の上下及び左右に画像を表示するための各々の画像データを、前記表示領域の上下及び左右を各々反転させ、前記表示部の長手方向で隣り合う左右の画像を入れ替えた分割画像データに変換する表示変換部を備えることを特徴とする請求項９に記載の情報表示システム。
【請求項１１】
前記表示装置は、
前記画像データ又は分割画像データを一時的に格納する画像メモリと、
前記画像データ又は分割画像データに基づく画像を前記表示部に表示するタイミングを制御するタイミング制御部と、
前記タイミング制御部によって表示タイミング制御される画像の表示制御を実行する表示制御部とを備えることを特徴とする請求項１０に記載の情報表示システム。
【発明の詳細な説明】
【技術分野】
【０００１】
本発明は、軽薄小型の表示パネルを使用して商品名や価格等の画像を表示する電子棚札（値札）及びそれを応用した電子棚札システムに適用可能な情報表示装置及び情報表示システムに関するものである。
【背景技術】
【０００２】
近年、液晶や無機、有機ＥＬ（Organic Electro-Luminescence）タイプの小型表示パネルが安価で大量生産できるようになってきた。会社などに訪れる際に、外部者に使用させる名札や、行楽施設のチケット等には、その場で使い捨てされるように、主に紙製のカードが用いられる場合が多かった。この紙製のカードに代わって、小型表示パネルが使用されつつある。
【０００３】
この種の小型表示パネルを用いた電子名札等は、何回も使用できるというリサイクル面だけでなく、通信ネットワークによって、電子名札の内容等を容易に情報管理できるという利点がある。外部者に使用させる電子名札であれば、着用者の行動をプロットしたり、入退出の時刻を記録して統計を取ることにより、ビルのセキュリティ管理に役立つ。行楽施設の電子チケットであれば、案内図やプログラムを時間によって表示したり、次回の催し物を表示したりすることが可能となる。
【０００４】
また、スーパーマーケットや小売店の商品棚に備えられる値札も、以前までは、紙に印字したり、手書きしたものが用いられていた。近頃では、小型表示パネルを電子棚札として使用しているところが大変多くなってきている。そのような店舗では、電子棚札を端末として、それらをコントロールする無線ネットワークが構築されている。
【０００５】
電子棚札システムを使用すると、値下げやタイムサービス価格の変更を瞬時に行うことができ、「新商品」、「お買い得」等の顧客へのメッセージも容易に表示、非表示が可能となる。電子棚札システムと販売時点管理システム（Point Of Sales system：以下でＰＯＳシステムともいう）とを連動させることによって、商品管理を効率化することもできる。
【０００６】
ＰＯＳシステムでは、店舗で商品を販売する毎に商品の販売情報を記録し、その集計結果を在庫管理やマーケティング材料として用いられる。また、電子棚札としての小型表示パネルよりも少し大きい、中型の情報表示装置は、受付のデスクに設置されて案内板に使用されたり、商品説明ボード等に使用される場合ある。この種の小型表示パネルを電子棚札として使用した場合、当該電子棚札には情報表示基板が使用される。
【０００７】
図１３は、従来例に係る情報表示基板１０における配線例を示す概要図である。図１３に示す情報表示基板１０は電子棚札等に用いられ、情報表示基板１０によれば、表示ドライバ１及び表示部２、ＳＥＧ配線３及びＣＯＭ配線４を有して構成される。
【０００８】
情報表示基板１０は、Ｘ方向の幅がｗで、Ｙ方向の高さがｈであり、略正方形を有している。表示ドライバ１及び表示部２は長方形を有している。
【０００９】
表示部２は、情報表示基板１０の左上部に配置され、表示ドライバ１が表示部２の下方の基板空き領域に配置されている。表示部２の右側の基板空き領域がＣＯＭ配線４等の配線領域に割り当てられ、その表示部２と表示ドライバ１との間の基板空き領域がＳＥＧ配線３の配線領域に割り当てられている。ＳＥＧ配線３は、表示部２の下部長辺側から引き出され、表示ドライバ１の上部長辺側に設けられたＳＥＧ配線用の端子部に接続されている。
【００１０】
また、ＣＯＭ配線４は、表示部２の右側短辺から引き出され、表示ドライバ１の右側短辺に設けられたＣＯＭ配線用の端子部に接続されている。図示せずも、表示部１２の対向電極はＸ方向（行方向）に沿って配置され、画素電極は、列方向（Ｙ軸）に沿って配置される。表示部１２において、対向電極と画素電極とは交差するように配置される。
【００１１】
ここで、表示ドライバ１から表示部２への信号の流れについて説明する。図１３に示す表示ドライバ１は、例えば、画像「ＡＢＣ」を表示するような画像データに基づく画素電圧をＳＥＧ配線３を介してＹ方向の画素電極に印加し、かつ、走査信号をＣＯＭ配線４を介してＸ方向の対向電極に印加して表示部２を表示駆動するようになされる。
【００１２】
このとき、表示ドライバ１は、ＣＯＭ配線４を介してＸ方向の対向電極に、走査信号を成すバイアス電圧を印加すると共に、ＳＥＧ配線３を介してＹ方向の画素電極に、画素電圧を成すバイアス電圧を印加する。そして、この対向電極及び画素電極に対して同時にバイアス電圧が印加されると、その交差点のドットが点灯するようになる。これにより、表示部２に画像「ＡＢＣ」を表示できるようになる。
【００１３】
この種の電子棚札に関連して特許文献１には、電子名札が開示されている。この電子名札によれば、名前の表示手段を備え、この名前の表示手段には外部から書き換え可能な液晶表示手段が使用される。これを前提にして、パーソナルコンピュータ等の外部機器（サーバ）から液晶表示手段に電気信号を送信し、当該電気信号に基づいて液晶表示手段に表示する文字データを外部から書き替えるようにした。このように電子名札を構成すると、名札を電子化した電子名札を実現できるため、名札情報を簡単に書き替えできるというものである。
【００１４】
また、小型表示パネルに関して、特許文献２にはドットマトリクス型のＥＬ表示装置が開示されている。ＥＬ表示装置によれば、ＥＬ素子、複数の走査電極及びデータ電極を備える。走査電極は、ＥＬ発光層の一面側に複数設けられる。データ電極は、他面側に複数設けられる。ＥＬ素子は、これら走査電極とデータ電極とが重なり合う位置に形成されている。
【００１５】
ＥＬ表示装置では、走査電極、データ電極にそれぞれ走査電圧、データ電圧が印加されると、ＥＬ素子が選択的に発光するようになる。これらを前提にして、各走査電極が、連続した複数行のＥＬ素子を同時に駆動可能に形成され、同じ走査電極により駆動されるＥＬ素子が、それぞれ異なるデータ電極に接続されるものである。このようにＥＬ表示装置を構成すると、輝度を高めることができ、コストを低減できるというものである。
【００１６】
なお、小型表示パネルに関して、特許文献３には有機エレクトロルミネッセンス（以下ＥＬという）素子及びその製造方法が開示されている。有機ＥＬ素子は電子棚札や、携帯電話、ＰＤＡ等に適用可能なものである。
【先行技術文献】
【特許文献】
【００１７】
【特許文献１】特開平  ０８−２５８４６９号公報（第３頁  図１）
【特許文献２】特開２００５−２７５２６３号公報（第５頁  図４）
【特許文献３】特開２００７−１０９６０２号公報（第４頁  図１）
【発明の概要】
【発明が解決しようとする課題】
【００１８】
ところで、従来例に係る情報表示基板１０によれば、次のような問題がある。  
ｉ．図１３に示した表示部２が、横長（例えば、横縦比２：１）の長方形状を有しているにも係わらず、表示部２が情報表示基板１０の左上部に配置され、表示部２の下方の基板空き領域に表示ドライバ１が配置され、表示部２の右側の基板空き領域がＣＯＭ配線４の配線領域に割り当てられ、その表示部２と表示ドライバ１との間の基板空き領域がＳＥＧ配線３及の配線領域に割り当てられている。
【００１９】
このため、表示部２を含む装置全体の形態が縦方向と横方向とがほぼ等しくなってしまう傾向にある。情報表示基板１０を正方形状あるいは正方形状に近くなるような形態（図１３の例で横縦比１９：１７）にせざるを得ない。
【００２０】
ii．表示ドライバ１の部分が表示部２の下方から出っ張った位置に配置されると、表示部２の短手方向の基板空き領域への出っ張りが多くなることから、情報表示基板１０を電子棚札として使用した場合、例えば、商品棚の桟部分等の幅の狭い領域に設置する場合が多くなるので、表示部２から下方へ出っ張った部分が多いに邪魔になるという問題がある。
【００２１】
iii．因みに特許文献１に見られるような電子名札や、案内板等に適用可能な特許文献２、３に見られるような有機ＥＬ表示装置において、用途にもよるが、表示部の下方の出っ張り部分が多くなると、何かと配置し難く見栄えが悪くなるという問題がある。
【００２２】
そこで、本発明は、駆動部の配置方法を工夫して、表示部の短手方向の基板空き領域への出っ張りを最小限に抑制できるようにすると共に、表示部を含む装置全体の形態を縦方向に比べて横方向が長くなる横長化できるようにした情報表示装置及び情報表示システムを提供することを目的とする。
【課題を解決するための手段】
【００２３】
上述の課題を解決するために、請求項１に係る情報表示装置は、一画素を画定する画素電極を有し、かつ、当該画素電極に対向する位置に対向電極を有して、前記画素電極の各々に対応して接続された複数の画素配線と前記対向電極の各々に対応して接続された複数の対向配線とが格子状を成して情報を表示する表示部と、前記表示部の対向配線及び画素配線に接続され、前記画素電極及び対向電極間に所定の電圧を印加して前記画素の表示駆動をする駆動部とを備え、前記表示部は、長手方向に所定の幅を有し、かつ、短手方向に所定の高さを有して所定の大きさの基板に配置され、前記駆動部は、前記表示部の長手方向の一方側に隣接する基板空き領域に配置されていることを特徴とするものである。
【００２４】
請求項１に係る情報表示装置によれば、表示部は、長手方向に所定の幅を有し、かつ、短手方向に所定の高さを有して所定の大きさの基板に配置される。表示部は、一画素を画定する画素電極を有し、かつ、当該画素電極に対向する位置に対向電極を有している。表示部は、画素電極の各々に対応して接続された複数の画素配線と対向電極の各々に対応して接続された複数の対向配線とが格子状を成して情報を表示する。駆動部は、表示部の長手方向の一方側に隣接する基板空き領域に配置される。これを前提にして、駆動部が表示部の対向配線及び画素配線に接続され、画素電極及び対向電極間に所定の電圧を印加して画素の表示駆動をするようになる。
【００２５】
この駆動部の配置によって、表示部の短手方向の基板空き領域への出っ張りを最小限に抑制することができ、表示部を含む装置全体の形態を縦方向に比べて横方向が長くなる横長化した軽薄小型の情報表示パネルを実現できるようになる。
【００２６】
請求項２に係る情報表示装置は、請求項１において、前記表示部は、前記駆動部に対向する側に角部を有し、前記駆動部は、前記表示部に対向する側に角部を有し、前記駆動部は、前記表示部の短手方向と並行する側に前記画素配線を接続するための複数の画素電極用の端子部が設けられ、かつ、前記長手方向と並行する側に前記対向配線を接続するための複数の対向電極用の端子部が設けられ、前記画素配線は、前記表示部の短手方向から引き出され、当該短手方向と略直交する前記表示部の長手方向に沿って当該表示部の角部に至り、当該角部を迂回する形態で前記画素電極用の端子部に接続され、前記対向配線は、前記短手方向と略直交する前記表示部の長手方向から引き出され、前記駆動部の近くまで延在され、当該駆動部の角部を迂回する形態で、前記対向電極用の端子部に接続されることを特徴とするものである。
【００２７】
請求項３に記載の情報表示装置は、請求項２において、前記表示部の角部を迂回する前記画素配線の部分と、前記駆動部の角部を迂回する前記対向配線の部分とが卍状に交差することを特徴とするものである。
【００２８】
請求項４に記載の情報表示装置は、請求項２において、前記表示部は、前記駆動部に対向する側に第１及び第２の角部を有し、前記駆動部は、前記表示部に対向する側に第１及び第２の角部を有し、前記駆動部は、前記表示部の短手方向と並行する側に前記画素配線の所定数を接続するための複数の画素電極用の第１の端子部と、前記表示部の短手方向と並行する側に前記画素配線の残り数を接続するための複数の画素電極用の第２の端子部が設けられ、かつ、前記表示部の長手方向と並行する一方の側に前記対向配線の所定数を接続するための複数の対向電極用の第１の端子部と、前記表示部の長手方向と並行する他方の側に前記対向配線の残り数を接続するための複数の対向電極用の第２の端子部とが設けられ、前記画素配線の所定数は、前記表示部の短手方向の一端から引き出され、当該短手方向と略直交する前記表示部の長手方向に沿って当該表示部の第１の角部に至り、当該第１の角部を迂回する形態で前記画素電極用の第１の端子部に接続され、前記画素配線の残り数は、前記表示部の短手方向の他端から引き出され、当該短手方向と略直交する前記表示部の長手方向に沿って当該表示部の第２の角部に至り、当該第２の角部を迂回する形態で前記画素電極用の第２の端子部に接続され、前記対向配線の所定数は、前記表示部の短手方向と略直交する前記表示部の長手方向から引き出され、前記駆動部の近くまで延在され、当該駆動部の第１の角部を迂回する形態で、前記対向電極用の第１の端子部に接続され、前記対向配線の残り数は、前記表示部の短手方向と略直交する前記表示部の長手方向から引き出され、前記駆動部の近くまで延在され、当該駆動部の第２の角部を迂回する形態で、前記対向電極用の第２の端子部に接続されることを特徴とするものである。
【００２９】
請求項５に記載の情報表示装置は、請求項４において、前記表示部の第１の角部を迂回する前記画素配線の所定数の部分と、前記駆動部の第１の角部を迂回する前記対向配線の所定数の部分とが卍状に交差され、前記表示部の第２の角部を迂回する前記画素配線の残り数の部分と、前記駆動部の第２の角部を迂回する前記対向配線の残り数の部分とが逆向きの卍状に交差されることを特徴とするものである。
【００３０】
請求項６に記載の情報表示装置は、請求項４において、前記表示部が所定の長辺及び短辺を成す大きさの表示領域を有し、前記画素配線の所定数が、前記表示部の短手方向の一端であって、前記駆動部から最も離れた前記表示領域の端部から順次、当該表示領域の中央部に至り引き出されて前記画素電極用の第１の端子部に接続され、前記画素配線の残り数が、前記表示部の短手方向の他端であって、当該表示部の表示領域の中央部から順次、前記駆動部に最も接近する位置に至り引き出されて前記画素電極用の第２の端子部に接続され、前記対向配線の所定数が、前記表示部の短手方向と略直交する前記表示部の表示領域の上端部の長手方向からその中央部に至り引き出されて前記対向電極用の第１の端子部に接続され、前記対向配線の残り数が、前記表示部の短手方向と略直交する前記表示部の表示領域の中央部から下端部に至りの長手方向から引き出されて前記対向電極用の第２の端子部に接続され、前記表示部の表示領域の長辺及び短辺の各々の略中央部を基準に４分割して当該表示部を表示駆動する場合に、分割された前記表示領域の上下及び左右に画像を表示するための各々のデータを、前記表示領域の上下及び左右を各々反転させ、前記表示部の長手方向で隣り合う左右の画像を入れ替えた画像データを分割画像データとしたとき、前記駆動部は、前記表示部の長手方向において、前記表示領域の一端から中央部に至る部分と当該中央部から他端に至る部分の前記分割画像データを区分して前記画像電極側基板に伝送し、前記表示部の短手方向において、前記表示領域の中央部からそれぞれの端部に至り走査される走査信号を区分して前記対向電極側基板に伝送し、前記分割画像データ及び前記走査信号に基づいて前記表示部を表示駆動することを特徴とするものである。
【００３１】
請求項７に記載の情報表示装置は、請求項１乃至６において、前記表示部は、液晶を配光膜で挟んだ液晶層と、一画素毎に画素電極を有し、かつ、偏光板、ガラス板及び画素電極用の透明導電膜を有して前記画素配線が引き出された画素電極側基板と、前記画素電極に対向する位置に対向電極を有し、かつ、偏光板、ガラス板及び対向電極用の透明導電膜を有して前記対向配線が引き出された対向電極側基板とを備え、前記画素電極側基板と対向電極側基板とで前記液晶層を挟み込んだ液晶表示基板を有することを特徴とするものである。
【００３２】
請求項８に記載の情報表示装置は、請求項１乃至６において、前記表示部は、少なくとも、走査線用の透明導電膜を有した陽極、正孔を輸送する正孔輸送層、光を発する発光層、電子を輸送する電子輸送層及びデータ線用の透明導電膜を有した陰極を有する有機ＥＬ薄膜と、カバー用のガラス基板と、封止用のガラス基板とを備え、前記カバー用のガラス板と封止用のガラスとで前記有機ＥＬ層を挟み込んだ有機ＥＬ表示基板を有することを特徴とするものである。
【００３３】
請求項９に記載の情報表示システムは、画像データを無線又は有線方式によって送信する情報処理装置と、前記情報処理装置から無線又は有線方式で前記画像データを受信し、当該画像データに基づく画像を表示する表示装置とを備え、前記表示装置には前記請求項１乃至８に記載のいずれかの情報表示装置が含まれることを特徴とするものである。
【００３４】
本発明に係る情報表示システムによれば、画像データが提供される情報処理装置から無線又は有線方式で画像データを受信し、当該画像データに基づく画像を表示する表示装置には、請求項１乃至８に記載のいずれかの情報表示装置が含まれるものである。この構成によって、軽薄小型の情報表示パネルを使用した商品名や価格等の画像を表示する電子棚札（値札）を応用した電子棚札システムを提供できるようになる。
【００３５】
請求項１０に記載の情報表示システムは、請求項９において、前記表示装置には、所定の長辺及び短辺を成す大きさの表示領域を有する表示部が設けられ、前記情報処理装置は、前記表示装置の表示領域の長辺及び短辺の各々の略中央部を基準に４分割し、当該表示部を表示駆動する場合に、分割された前記表示領域の上下及び左右に画像を表示するための各々の画像データを、前記表示領域の上下及び左右を各々反転させ、前記表示部の長手方向で隣り合う左右の画像を入れ替えた分割画像データに変換する表示変換部を備えることを特徴とするものである。
【００３６】
請求項１１に記載の情報表示システムは、請求項１０において、前記表示装置は、前記画像データ又は分割画像データを一時的に格納する画像メモリと、前記画像データ又は分割画像データに基づく画像を前記表示部に表示するタイミングを制御するタイミング制御部と、前記タイミング制御部によって表示タイミング制御される画像の表示制御を実行する表示制御部とを備えることを特徴とするものである。
【発明の効果】
【００３７】
本発明に係る情報表示装置によれば、長手方向に所定の幅を有し、かつ、短手方向に所定の高さを有した所定の大きさの基板に配置された表示部の長手方向の一方側に隣接する基板空き領域に駆動部が配置され、当該駆動部が表示部の対向配線及び画素配線に接続され、画素電極及び対向電極間に所定の電圧を印加して画素の表示駆動をするものである。
【００３８】
この構成によって、表示部の短手方向の基板空き領域への出っ張りを最小限に抑制することができ、表示部を含む装置全体の形態を縦方向に比べて横方向が長くなる横長化した軽薄小型の情報表示パネルを実現できるようになる。これにより、軽薄小型の情報表示パネルを使用した商品名や価格等の画像を表示する電子棚札（値札）及びそれを応用した電子棚札システムの構築に寄与するところが大きい。
【００３９】
本発明に係る情報表示システムによれば、画像データが提供される情報処理装置から無線又は有線方式で画像データを受信し、当該画像データに基づく画像を表示する表示装置には、本発明に係るいずれかの情報表示装置が含まれるものである。この構成によって、軽薄小型の情報表示パネルを使用した商品名や価格等の画像を表示する電子棚札（値札）を応用した電子棚札システムを提供できるようになる。
【図面の簡単な説明】
【００４０】
【図１】本発明に係る実施形態としての情報表示装置１００の構成例を示すブロック図である。
【図２】情報表示基板１０１の配線例を示すブロック図である。
【図３】第１の実施例に係る表示部１２の構成例を示す断面図である。
【図４】（Ａ）及び（Ｂ）は、情報表示基板１０１の組立例（その１）を示す上面の概要図である。
【図５】情報表示基板１０１の組立例（その２）を示す断面の概要図である。
【図６】第２の実施例に係る表示部２０の構成例を示す斜視図である。
【図７】第３の実施例に係る表示部３０の構成例を示す斜視図である。
【図８】第４の実施例に係る情報表示システム１０４の構成例を示す概要図である。
【図９】画像データ変換例（その１）を示す概要図である。
【図１０】画像データ変換例（その２）を示す概要図である。
【図１１】第５の実施例に係る情報表示基板１０５の配線例を示すブロック図である。
【図１２】第６の実施例に係る情報表示基板１０６の配線例を示すブロック図である。
【図１３】従来例に係る情報表示基板１０の配線例を示す概要図である。
【発明を実施するための形態】
【００４１】
以下、図面を参照しながら、本発明に係る情報表示装置及び情報表示システムについて説明する。図１に示す情報表示装置１００は電子棚札等の小型表示パネルに適用可能なものであり、プログラム格納用の読み出し専用メモリ（Read Only Memory：以下ＲＯＭ２１という）、ワーク用の随時情報の書き込み読出し可能なメモリ（Random Access Memory：以下ＲＡＭ２２という）、電気的に情報の消去及びプログラム可能な読出し専用メモリ（Electrically Erasable and Programmable Read Only Memory：以下ＥＥＰＲＯＭ２３という）、中央処理ユニット（Central Processing Unit；以下ＣＰＵ２４という）、画像メモリ２５、表示コントローラ２６、タイミングコントローラ２７、電源２８、外部接続部材２９及び情報表示基板１０１を有して構成される。
【００４２】
ＲＯＭ２１、ＲＡＭ２２、ＥＥＰＲＯＭ２３、表示コントローラ２６及び、外部接続部材２９はＣＰＵ２４に接続される。ＲＯＭ２１には表示装置本体を制御するための表示制御プログラムの他に、画像データの書き込み制御や、表示コントローラ２６の出力制御を実行する際の制御情報が格納されている。ＲＡＭ２２には、上述の表示制御プログラムや、制御情報、画像データＤ２９等が一時格納される。ＥＥＰＲＯＭ２３には、例えば、電子棚札等の商品固有のコードデータ等が格納される。
【００４３】
ＣＰＵ２４は、例えば、電源２８がオンされると、電源オン情報を検出し、ＲＯＭ２１から表示制御プログラムを読み出してＲＡＭ２２に展開し、表示制御プログラムを起動して、当該表示装置全体を制御するようになされる。この例では、ＣＰＵ２４には外部接続部材２９が接続される。外部接続部材２９には、情報表示装置１００の使用態様によって、パーソナルコンピュータ（以下パソコンという）等の外部機器と通信ケーブルを接続するための単なる外部接続端子や、当該外部機器と無線通信をするための無線通信モデムが含まれる。無線通信モデムを使用した無線通信方式を採ると、情報表示装置１００の表示内容を経過時間毎に簡単に書き変えることができる。
【００４４】
なお、電源２８は、ＣＰＵ２４及び情報表示基板１０１等に接続され、ＣＰＵ２４及び情報表示基板１０１の他、ＲＯＭ２１、ＲＡＭ２２、ＥＥＰＲＯＭ２３、画像メモリ２５、表示コントローラ２６、外部接続部材２９に電源を供給するようになされる。電源２８は、太陽電池や２次電池等から構成される。
【００４５】
外部接続部材２９は外部のデバイスとデータ通信を行う。例えば、外部接続部材２９はパソコン等から受信したカラー用又は白黒用のデジタルの画像データＤ２９を受信する。画像データＤ２９はＣＰＵ２４や、ＣＰＵ２４を介してＲＡＭ２２に記憶され、又は、ＣＰＵ２４、表示コントローラ２６を介して画像メモリ２５に記憶される。画像データＤ２９は、電子棚札が対応付けられる商品の名称、価格、値引き情報等である。
【００４６】
ＣＰＵ２４には表示制御部の一例を構成する表示コントローラ２６が接続される。表示コントローラ２６は、一方が画像メモリ２５に接続され、他方が、タイミング制御部の一例を構成するタイミングコントローラ２７に接続される。表示コントローラ２６は、ＣＰＵ２４から出力される制御情報（所定の動作周波数のクロック信号を含む）に基づいて画像メモリ２５への画像データＤ２９の書き込みや、その画像データＤ２９の読み出し制御を実行したり、タイミングコントローラ２７へタイミング制御信号を含む画像データＤ２９を出力して表示制御を実行する。
【００４７】
表示コントローラ２６は、画像メモリ２５から画像データＤ２９を読み出し、画像データＤ２９に基づいてタイミングコントローラ２７を制御する。タイミングコントローラ２７は、表示コントローラ２６の他に情報表示基板１０１に接続される。情報表示基板１０１は表示ドライバ１１及び表示部１２を含み構成される。タイミングコントローラ２７は、表示部１２に画像データＤ２９に基づく画像を表示するための同期信号等を発生し、同期信号等に基づいて表示ドライバ１１の表示タイミングを制御するようになされる。
【００４８】
タイミングコントローラ２７は情報表示基板１０１に接続される。情報表示基板１０１の大きさは、長手方向（Ｘ方向；以下（Ｘ）という）の幅がＷ［ｍｍ］であり、短手方向（Ｙ方向；以下（Ｙ）という）の高さがＨ［ｍｍ］である。表示部１２は、例えば、情報表示基板１０１の右側領域に配置され、表示ドライバ１１は、表示部１２の長手方向（Ｘ）の一方側（この例では左側）に隣接する空き領域（以下で基板空き領域という）に配置されている。図中の破線矢印は画素電圧や、走査信号の印加順を示す方向（以下走査方向ともいう）を示している。
【００４９】
この表示ドライバ１１を情報表示基板１０１の基板空き領域に配置したのは、この配置によって、表示部１２の短手方向（Ｙ）の基板空き領域への出っ張りを最小限に抑制することができる。しかも、表示部１２を含む装置全体の形態を縦方向に比べて横方向が長くなり、横長化した軽薄小型の情報表示装置１００を実現できるためである。
【００５０】
この例で、表示部１２は、一画素を画定する画素電極を有し、かつ、当該画素電極に対向する位置に対向電極を有している。表示部１２は、画素電極の各々に対応して接続された複数の画素配線（以下でＳＥＧ配線１３，１４という）と対向電極の各々に対応して接続された複数の対向配線（以下でＣＯＭ配線１５，１６という）とが格子状を成して画像データＤ２９に基づく画像を表示する。図中では画像「ＡＢＣ」を表示している。
【００５１】
表示ドライバ１１は、表示部１２のＳＥＧ配線１３，１４及びＣＯＭ配線１５，１６に接続され、画素電極及び対向電極間に所定の電圧を印加して画素の表示駆動をする。表示ドライバ１１は、例えば、Ｘ方向の対向電極に電圧波形を印加するためのＸドライバ１１ｘ、及び、Ｙ方向の画素電極に電圧波形を印加するためのＹドライバ１１ｙから構成される（図５参照）。表示ドライバ１１には、Ｘドライバ１１ｘ及びＹドライバ１１ｙを半導体集積回路化したＩＣ装置が使用される。
【００５２】
ここで図２を参照して、情報表示基板１０１の配線例について説明する。図２は、情報表示基板１０１の裏面側から見た図である。図２に示す情報表示基板１０１によれば、全表示画素が１３４Line×７０Line＝９３８０dotsの表示部１２を有している。情報表示装置１００は、表示部１２が所定長さの長辺Ｗ１及び、所定長さの短辺Ｈ１を成す大きさの表示領域（以下有効表示領域という）を有している。有効表示領域において、表示画面の横縦比は、２：１である。この例で、有効表示領域は１２８Line×６４Line＝８１９２dotsである。左右・上下３Lineはダミー画素である。
【００５３】
表示部１２は、表示ドライバ１１に対向する側（左側）に第１の角部ａ及び第２の角部ｂを有している。もちろん、その右側にも角部ｃ，ｄを有している。表示ドライバ１１は、表示部１２に対向する側（右側）に第１角部ｃ及び第２の角部ｄを有している。もちろん、その左側にも角部ａ，ｂを有している。
【００５４】
表示ドライバ１１には、表示部１２の短手方向（Ｙ）と並行する側に、ＳＥＧ配線１３の所定数（この例では６４本）を接続するための画素電極用の６４個の第１の端子部が設けられる。図中、画素電極用の第１の端子部は、端子SEG０〜端子SEG６３で示している。表示部１２の短手方向（Ｙ）と並行する側には、残り数である６４本のＳＥＧ配線１４を接続するための画素電極用の６４個の第２の端子部が設けられる。図中、画素電極用の第２の端子部は、端子SEG６４〜端子SEG１２７で示している。
【００５５】
表示部１２の長手方向（Ｘ）と並行する上方の側に、所定数（この例では３２ライン）のＣＯＭ配線１５を接続するための対向電極用の３２個の第１の端子部が設けられる。図中、対向電極用の第１の端子部は、端子COM０〜端子COM３１で示している。表示部１２の長手方向（Ｘ）と並行する下方の側には、残り数である３２ラインのＣＯＭ配線１６の残り数を接続するための複数の対向電極用の第２の端子部とが設けられる。図中、対向電極用の第２の端子部は、端子COM３２〜端子COM６３で示している。
【００５６】
６４本のＳＥＧ配線１３は、表示部１２の短手方向（Ｙ）の右上端側から引き出され、当該短手方向（Ｙ）と略直交する表示部１２の長手方向（Ｘ）に沿って当該表示部１２の角部ａに至り、当該角部ａを迂回する形態で画素電極用の端子SEG０〜端子SEG６３に接続される。残りの６４本のＳＥＧ配線１４は、表示部１２の短手方向（Ｙ）の左下端側から引き出され、当該短手方向（Ｙ）と略直交する表示部１２の長手方向（Ｘ）に沿って当該表示部１２の角部ｂに至り、当該角部ｂを迂回する形態で画素電極用の端子SEG６４〜端子SEG１２７に接続される。
【００５７】
３２ラインのＣＯＭ配線１５は、表示部１２の短手方向（Ｙ）と略直交する表示部１２の長手方向（Ｘ）から引き出され、表示ドライバ１１の近くまで延在され、当該表示ドライバ１１の角部ｃを迂回する形態で、対向電極用の端子COM０〜端子COM３１に接続される。残りの３２ラインのＣＯＭ配線１６は、表示部１２の短手方向（Ｙ）と略直交する表示部１２の長手方向（Ｘ）から引き出され、表示ドライバ１１の近くまで延在され、当該表示ドライバ１１の角部ｄを迂回する形態で、対向電極用の端子COM３２〜端子COM６５に接続される。
【００５８】
図２に示した情報表示基板１０１によれば、表示部１２の角部ａを迂回する３２本のＳＥＧ配線１３の部分と、表示ドライバ１１の角部ｃを迂回する６４ラインのＣＯＭ配線１５の部分とが卍状に交差され、更に、表示部１２の角部ｂを迂回する３２本のＳＥＧ配線１４の部分と、表示ドライバ１１の角部ｄを迂回する６４ラインのＣＯＭ配線１６の部分とが逆向きの卍状に交差される。卍状に交差する部分は、空間又は絶縁物が介在され、絶縁が保持される。
【００５９】
なお、表示ドライバ１１の左辺側には、電源用及び制御用等の２８個の端子が設けられる。端子１．には、電源Ｖ０が印加され、端子２．には、電圧Ｖ４が印加され、端子３．には、電圧Ｖ３が印加され、端子４．には、電圧Ｖ２が印加され、端子５．には、電圧Ｖ１が印加され、端子７．には、電源ＶＤＤが印加され、端子８．には、電圧Ｄ／Ｃが印加され、端子９．には、制御信号ＣＳ１が入力され、端子１０．には、リセット信号RESTが入力され、端子１１．には、システムクロックSCLKが入力され、端子１２．には、制御信号ＳＤが入力され、端子１３．には、動作中信号BUSYが入力される。
【００６０】
また、端子１４．には、電源ＶＳＳが印加され、端子１５．には、制御信号VCP1が入力され、端子１６．には、制御信号ＣＩＰが入力され、端子１７．には、制御信号ＣＩＮが入力され、端子１８．には、制御信号ＶＣＰ２が入力され、端子１９．には、制御信号Ｃ２Ｐが入力され、端子２０．には、制御信号Ｃ２Ｎが入力され、端子２１．には、制御信号ＶＣＰ３が印加され、端子２２．には、制御信号Ｃ３Ｐが入力され、端子２３．には、制御信号Ｃ３Ｎが入力され、端子２４．には、制御信号ＶＣＰ４が印加され、端子２５．には、制御信号Ｃ４Ｐが入力され、端子２６．には、制御信号Ｃ４Ｎが入力され、端子２７．には、電圧ＶＣ１が印加され、端子２８．は電源ＶＳＳが各々入力される。これらにより、情報表示基板１０１におけるＳＥＧ配線１３，１４及びＣＯＭ配線１５，１６が配線される。
【実施例１】
【００６１】
続いて、図３を参照して、第１の実施例に係る表示部１２の構成例について説明する。図３に示す表示部１２は、画素電極側基板１１１と対向電極側基板１１２とで液晶層１２５を挟み込んだ液晶表示基板を有し、液晶シャッター機構を構成している。
【００６２】
画素電極側基板１１１は、偏光板１２１、ガラス基板１２２、透明導電膜１２３及び配光膜１２４を有し、これらが順次積層されて構成される。透明導電膜１２３は画素電極や、駆動トランジスタ等を構成する。画素電極（Ｙ方向の電極）や、駆動トランジスタ等は一画素毎に設けられる。透明導電膜１２３はＳＥＧ配線１３，１４として表示部１２から引き出される。
【００６３】
対向電極側基板１１２は、配光膜１２６、透明導電膜１２７、カラーフィルタ１２８、ガラス基板１２９及び偏光板１３１を有し、これらが順次積層されて構成される。透明導電膜１２７は、上述の画素電極に対向する位置で対向電極（Ｘ方向の電極）を構成する。透明導電膜１２７は、１ライン毎に設けられ、当該透明導電膜１２７がＣＯＭ配線１５，１６として引き出されている。
【００６４】
液晶層１２５は液晶を画素電極側基板１１１の配光膜１２４と、対向電極側基板１１２の配光膜１２６で挟み込む形態で構成されている。上述の画素電極を構成する透明導電膜１２３及び対向電極を構成する透明導電膜１２７との間には、画像データＤ２９に基づく信号源１３２（書き込み電圧）が印加され、画素毎に表示駆動が行われる。これらにより、液晶シャッター機構を有した情報表示基板１０１が構成される。この例では、カラー表示を行うため、透明導電膜１２７とガラス基板１２９との間にカラーフィルタ１２８を挿しているが、白黒表示を行う場合は、当該カラーフィルタ１２８を省略してもよい。
【００６５】
続いて、図４及び図５を参照して、情報表示基板１０１の組立例（その１、２）について説明する。この例では、図４Ａ及び図４Ｂに示すように、Ｘドライバ及びＹドライバを有する表示ドライバ１１が使用される。図４Ａに示す画素電極側基板１１１によれば、表示部１２を構成する１３０本の透明導電膜１２３を当該短手方向（Ｙ）に沿って配置する。この例では、１３０本の透明導電膜１２３から左右３本の透明導電膜１２３を除く、１２８本（行）の透明導電膜１２３を、表示ドライバ１１を構成するＹドライバ１１ｙに接続するようになされる。表示ドライバ１１は、表示部１２に隣接した画素電極側基板１１１の基板空き領域に配置するようになされる。
【００６６】
この例では、ＳＥＧ配線１３，１４を画素電極側基板１１１の両方の長辺に半分ずつ振り分けて接続する。片方は表示ドライバ１１から離れた方から近い方へ、長辺の略中央部分（半分程度の本数）の位置に配線する。もう一方は、長辺の中央部から表示ドライバ１１の付近まで配線される。１２８本の透明導電膜１２３からＳＥＧ配線１３，１４を各々引き出す場合に、例えば、Ｙドライバ１１ｙの端子SEG０〜SEG６３にＳＥＧ配線１３を接続し、Ｙドライバ１１ｙの端子SEG６４〜SEG１２７にＳＥＧ配線１４を接続する。これでＹ方向の１２８本の配線が全て網羅される。画像データＤ２９に基づく画素信号は、右側半分が表示部１２の右端部側から中央部へ、その左側半分が表示部１２の中央部から左端部側へと伝送される。
【００６７】
図４Ｂに示す対向電極側基板１１２によれば、表示部１２を構成する７０本の透明導電膜１２７を当該長手方向（Ｘ）に沿って配置する。この例では、７０本の透明導電膜１２７から上下３本の透明導電膜１２７を除く、６４本（行）の透明導電膜１２７を、表示ドライバ１１を構成するＸドライバ１１ｘに接続するようになされる。表示ドライバ１１は、表示部１２に隣接した対向電極側基板１１２の基板空き領域に配置するようになされる。
【００６８】
この例では、ＣＯＭ配線１５，１６を対向電極側基板１１２の短辺に沿って半分ずつ振り分けて接続する。ＣＯＭ配線１５は、対向電極側基板１１２の上部の短辺に沿って接続され、ＣＯＭ配線１６は、その下部の短辺に沿って接続される。６４本の透明導電膜１２３からＣＯＭ配線１５，１６を各々引き出す場合に、例えば、Ｘドライバ１１ｘの端子COM０〜COM３１に３２本のＣＯＭ配線１５を接続し、Ｘドライバ１１ｘの端子COM３２〜COM６３に３２本のＣＯＭ配線１６を接続する。これでＸ方向の６４本の配線が全て網羅される。画像データＤ２９に係る走査信号は、上半分が表示部１２の中央部から上端部側へ、その下半分が表示部１２の中央部から下端部側へと伝送される。
【００６９】
図５に示す情報表示基板１０１は、その長手方向（Ｘ）の断面図において、画素電極側基板１１１と対向電極側基板１１２との間に液晶層１２５を挟み込む形態で組み立てられる。例えば、画素電極側基板１１１の配光膜１２４と、対向電極側基板１１２の配光膜１２６とが対峙するように位置合わせを行い、画素電極側基板１１１と対向電極側基板１１２とがＺ軸方向で重なり合うようにして、画素電極側基板１１１の配光膜１２４と、対向電極側基板１１２の配光膜１２６との間に液晶を封止する。
【００７０】
なお、図中、画素電極側基板１１１において、ガラス基板１２２、透明導電膜１２３及び配光膜１２４を省略している。対向電極側基板１１２においても、配光膜１２６、透明導電膜１２７、カラーフィルタ１２８及びガラス基板１２９を省略している。これらにより、画素電極側基板１１１の配光膜１２４と、対向電極側基板１１２の配光膜１２６とで液晶が挟み込まれ、当該液晶が封止する形態で組み立てられた液晶シャッター機構を有した情報表示基板１０１が完成する。
【００７１】
情報表示基板１０１では、画素電極側基板１１１から延在するＳＥＧ配線１３，１４及び、対向電極側基板１１２から延在するＣＯＭ配線１５，１６は、表示ドライバ１１に接続され、画素電極を構成する透明導電膜１２３及び対向電極を構成する透明導電膜１２７との間に信号源１３２から所定の電圧を印加して画素毎に表示駆動が行われる。
【００７２】
表示ドライバ１１のＸドライバ１１ｘは、６４本の対向電極に対して、ＣＯＭ配線１５，１６を介して走査信号を成すバイアス電圧を印加する。表示ドライバ１１のＹドライバ１１ｙは、１２８本の画素電極に対して、ＳＥＧ配線１３，１４を介して画素電圧を成すバイアス電圧を印加する。
【００７３】
表示部１２に対して使用される表示ドライバ１１のＸドライバ１１ｘ、Ｙドライバ１１ｙの個数は、表示部１２の行方向のサイズおよび列方向のサイズに従って設定される。なお、表示部１２を構成する各ドット毎に点灯状況が更新される場合は、対応する画素電極および対向電極のバイアス電圧の印加状況のみが更新される形態であってもよい。
【００７４】
このように第１の実施例に係る情報表示装置１００によれば、情報表示基板１０１を備え、表示ドライバ１１は、表示部１２の長手方向（Ｘ）の一方側に隣接する基板空き領域に配置される。これを前提にして、表示ドライバ１１が表示部１２のＣＯＭ配線１５，１６及びＳＥＧ配線１３，１４に接続され、画素電極及び対向電極間に所定の電圧を印加して画素の表示駆動をするようになる。
【００７５】
この表示ドライバ１１の配置によって、表示部１２の短手方向（Ｙ）の基板空き領域への出っ張りを最小限に抑制することができ、表示部１２を含む装置全体の形態を縦方向に比べて横方向が長くなる横長化した軽薄小型の情報表示装置１００を実現できるようになる。これにより、情報表示基板１０１における省スペース化が図られ、軽薄小型の情報表示装置１００を使用した、商品名や価格等の画像を表示する電子棚札（値札）及びそれを応用した電子棚札システム等の構築に寄与するところが大きい。
【００７６】
この例では、パソコン等の外部機器から外部接続部材２９を介して画像データＤ２９を受信し、画像を表示部１２で表示する場合について説明したが、これに限られることはない。例えば、予め、ＲＯＭ２１又はＥＥＰＲＯＭ２３に固定又は半固定的に画像データＤ２９を記憶して置き、電源オンと共に、ＲＯＭ２１又はＥＥＰＲＯＭ２３から画像データＤ２９を読み出し、画像データＤ２９に基づく画像を表示部１２で表示してもよい。
【実施例２】
【００７７】
続いて、図６を参照して、第２の実施例に係る表示部２０の構成例について説明する。  図６に示す表示部２０は、情報表示装置１００に使用可能な有機ＥＬ表示基板を構成する。表示部２０は、封止用のガラス板２０１、カバー用のガラス板２０７及び有機ＥＬ薄膜層２１０を有し、ガラス板２０１とガラス板２０７とで、有機ＥＬ薄膜層２１０を挟み込むことにより有機ＥＬ表示基板を構成する。
【００７８】
有機ＥＬ薄膜層２１０は、データ線用の導電膜を有した陰極２０２、電子を輸送する電子輸送層２０３、光を発する発光層２０４、正孔を輸送する正孔輸送層２０５及び、走査線用の透明導電膜を有した陽極２０６を順次積層して構成される。
【００７９】
このように第２の実施例に係る表示部２０によれば、陰極２０２を構成する透明導電膜及び走査線用の透明導電膜を有した陽極２０６との間に、画像データＤ２９に基づく交流のパルス電圧を印加することで、発光層２０４が光を発生する。これらにより、情報表示装置１００に使用可能な有機ＥＬ表示基板を構成できるようになる。情報表示装置１００には、有機ＥＬ表示基板の他に無機ＥＬ表示基板も使用できる。
【実施例３】
【００８０】
続いて、図７を参照して、第３の実施例に係る表示部３０の構成例について説明する。  図７に示す表示部３０は、情報表示装置１００に使用可能なパッシプマトリックス式の有機ＥＬ表示基板を構成する。表示部３０は、陰極側ガラス板３１、陽極側ガラス板３２及び有機ＥＬ薄膜層３３を有し、陰極側ガラス板３１と陽極側ガラス板３２とで、有機ＥＬ薄膜層３３を挟み込むことによりパッシプマトリックス式の有機ＥＬ表示基板を構成する。
【００８１】
陰極側ガラス板３１上には、陰極（データ線）を構成するＹ電極、この例では、６本の電極Ｙ０〜Ｙ５が配置される。電極Ｙ０〜Ｙ５は導電膜から構成される。陽極側ガラス板３２上には、陽極（走査線）を構成するＸ電極、この例では、６本の電極Ｘ０〜Ｘ５が配置される。電極Ｘ０〜Ｘ５は透明導電膜から構成される。陰極側ガラス板３１と陽極側ガラス板３２とは、電極Ｘ０〜Ｘ５と電極Ｙ０〜Ｙ５が直交する形態で、有機ＥＬ薄膜層３３を挟み込むように組み立てられる。
【００８２】
このように第３の実施例に係る表示部３０によれば、陰極を構成する導電膜（電極Ｙ０〜Ｙ５）及び陽極を構成する透明導電膜（電極Ｘ０〜Ｘ５）との間に、画像データＤ２９に基づく交流のパルス電圧を印加することで、有機ＥＬ薄膜層３３が光を発生する。これらにより、情報表示装置１００に使用可能なパッシプマトリックス式の有機ＥＬ表示基板を構成できるようになる。
【実施例４】
【００８３】
続いて、図８を参照して、第４の実施例に係る情報表示システム１０４について説明する。この例では、電子棚札＃１〜＃３の表示領域の長辺Ｗ１及び短辺Ｈ１の各々の略中央部を基準に４分割し、当該表示部１２を４分割表示駆動する場合を例に挙げる。図８に示す情報表示システム１０４は、情報処理装置４０、無線通信モデム４５及び複数の電子棚札＃１〜＃３を有して構成される。
【００８４】
電子棚札＃１〜＃３は表示装置の一例を構成し、情報処理装置４０から無線方式又は有線方式で分割画像データＤ２９’を受信し、当該分割画像データＤ２９’に基づく分割画像を表示する。電子棚札＃１〜＃３には、第１〜第３の実施例で説明した情報表示装置１００のいずれかが含まれる（使用される）。
【００８５】
電子棚札＃１〜＃３には、図２や、図８に示すように所定の長辺Ｗ１及び短辺Ｈ１を成す大きさの表示領域を有する表示部１２が設けられる。電子棚札＃１〜＃３においては、図１に示した画像メモリ２５に分割画像データＤ２９’が一時的に格納される。同図に示したタイミングコントローラ２７は、分割画像データＤ２９’に基づく分割画像を表示部１２に表示するタイミングを制御する。更に、同図に示した表示コントローラ２６は、タイミングコントローラ２７によって表示タイミング制御される分割画像の表示制御を実行する。
【００８６】
情報処理装置４０は、分割画像データＤ２９’を無線方式によって複数の電子棚札＃１〜＃３に送信する。情報処理装置４０には、パーソナルコンピュータ及び無線通信モデム４５が使用される。情報処理装置４０は、マウス４１、キーボード４２、モニタ４３、制御ユニット４４を有している。マウス４１やキーボード４２等は、例えば、電子棚札＃１が対応付けられた商品の値下げや、タイムサービス価格を変更する際に操作される。
【００８７】
モニタ４３には、電子棚札＃１の表示部１２に表示すべき画像が表示される。制御ユニット４４はマウス４１やキーボード４２等の入力操作に基づいて、例えば、商品の値下げや、タイムサービス価格に係る画像をモニタ４３に表示したり、電子棚札＃１〜＃３等に分割画像データＤ２９’を一斉送信するような送信制御を実行する。
【００８８】
この例で、制御ユニット４４内には表示変換部４６が設けられる。表示変換部４６は、表示部１２を４分割して表示駆動する場合に、表示部１２を４分割する前の１画面の画像データＤ２９を、分割された表示領域の上下及び左右に画像を表示するための各々の分割画像データＤ２９’に変換する。分割画像データＤ２９’は、表示部１２の表示領域の上下及び左右を各々反転させ、当該表示部１２の長手方向（Ｘ）で隣り合う左右の画像を入れ替えたデータである。
【００８９】
また、制御ユニット４４には無線通信モデム４５が接続され、表示変換部４６から得られた分割画像データＤ２９’を変調して、無線変調信号Ｓ２９を電子棚札＃１〜＃３に送信するようになされる。電子棚札＃１等の外部接続部材２９には無線通信機能が実装され、無線変調信号Ｓ２９を受信して分割画像データＤ２９’を復調するようになされる。
【００９０】
ここで、図９及び図１０を参照して、情報処理装置４０における画像データ変換例（その１、２）及び電子棚札＃１等における表示例について説明する。この例では、図８に示した情報表示システム１０４において、表示部１２を４分割して表示駆動する場合であって、電子棚札＃１〜＃３において、図９Ａに示すような「ＡＢＣ」という文字画像を４分割表示駆動する場合を例に挙げる。
【００９１】
分割画像データＤ２９’は情報処理装置４０から無線通信モデム４５を介して、電子棚札＃１〜＃３の各々に無線送信され、その外部接続部材２９を構成する無線通信機能を介して受信される。図９Ａに示した電子棚札＃１〜＃３等に表示される分割画像は「Ａ」の文字が上下に分割され、「Ｂ」の文字が上下・左右に分割され、「Ｃ」の文字が上下に分割される。
【００９２】
画像Ｐ１（１／４画面）は、「Ａ」の文字の上部と、「Ｂ」の文字の左側上部から構成されている。画像Ｐ２（１／４画面）は、「Ｂ」の文字の右側上部と、「Ｃ」の文字の上部から構成されている。画像Ｐ３（１／４画面）は、「Ａ」の文字の下部と、「Ｂ」の文字の左側下部から構成されている。画像Ｐ４（１／４画面）は、「Ｂ」の文字の右側下部と、「Ｃ」の文字の下部から構成されている。
【００９３】
ここで、説明を分かり易くするために、図９Ａに示した画像Ｐ１〜Ｐ４を図９Ｂに示すような三角形Ｐ１〜Ｐ４に置き換える。三角形Ｐ１〜Ｐ４の配設位置は電子棚札＃１等の表示部１２における画像Ｐ１〜Ｐ４の表示位置に対応している。
【００９４】
図１０Ａに示す画像Ｐ１’〜Ｐ４’は、情報処理装置４０から無線通信モデム４５を介して、電子棚札＃１〜＃３の各々に無線送信される分割画像データＤ２９’に基づく分割画像である。この分割画像は、制御ユニット４４内に実装した表示変換部４６の画像データ変換機能例を示す、例えば、制御ユニット４４内のメモリ領域上の表示部１２の表示画面の展開イメージである。
【００９５】
図９Ａに示した画像Ｐ１〜画像Ｐ４に基づく画像「ＡＢＣ」を電子棚札＃１〜＃３等に表示するためには、ＳＥＧ配線１３，１４及びＣＯＭ配線１５，１６の走査方向を考慮して、情報処理装置４０から電子棚札＃１〜＃３等へ無線送信する分割画像データＤ２９’の構成を工夫する必要がある。
【００９６】
この例では、制御ユニット４４内に実装した表示変換部４６が、図９Ａに示した画像Ｐ１〜画像Ｐ４を電子棚札＃１〜＃３等に表示するために、当該画像Ｐ１〜Ｐ４について、画像データ変換処理を実行する。まず、画像Ｐ１，Ｐ２について上下を反転し、この上下反転後の画像Ｐ１’及び画像Ｐ２’の各々をそれぞれ左右を反転する。この左右反転後の画像Ｐ１’と、画像Ｐ２’との表示位置を左右入れ替える。また、画像Ｐ３の左右を反転する。画像Ｐ４は反転せずに、左右反転後の画像Ｐ３’と、画像Ｐ４の表示位置を入れ替える。
【００９７】
画像Ｐ２’は、画像Ｐ２を上下反転したもので、「Ｂ」の文字の右側上部と、「Ｃ」の文字の上部から構成されている。画像Ｐ１’は、画像Ｐ１を上下・左右反転したもので、「Ａ」の文字の上部と、「Ｂ」の文字の左側上部から構成されている。画像Ｐ４’は、画像Ｐ４をそのままにしたもので、「Ｂ」の文字の右側下部と、「Ｃ」の文字の下部から構成されている。画像Ｐ３’は、画像Ｐ３を左右反転したもので、「Ａ」の文字の下部と、「Ｂ」の文字の左側下部から構成されている。
【００９８】
ここでも、説明を分かり易くするために、図１０Ａに示した画像Ｐ１’〜Ｐ４’を図１０Ｂに示すような三角形Ｐ１’〜Ｐ４’に置き換える。三角形Ｐ２’は、三角形Ｐ２を上下反転したもので、当該三角形Ｐ２’と三角形Ｐ１’との位置を左右に入れ替えたものである。三角形Ｐ１’は、三角形Ｐ１を上下・左右反転したもので、当該三角形Ｐ１’と三角形Ｐ２’との位置を左右入れ替えたものである。
【００９９】
三角形Ｐ４’は、三角形Ｐ４をそのまま、当該三角形Ｐ４’と三角形Ｐ３’との位置を左右に入れ替えたものである。三角形Ｐ３’は、三角形Ｐ３を左右反転したもので、当該三角形Ｐ３’と三角形Ｐ４’との位置を左右に入れ替えたものである。なお、三角形Ｐ１’〜Ｐ４’の配設位置は、電子棚札＃１等の表示部１２に画像Ｐ１〜Ｐ４に基づく画像「ＡＢＣ」を表示するために、制御ユニット４４内のメモリ領域上に展開された表示部１２の表示画面のイメージ図である。
【０１００】
このように構成された情報表示システム１０４によれば、画像データ変換された分割画像データＤ２９’が無線通信モデム４５で変調され、無線変調信号Ｓ２９となって電子棚札＃１等で受信される。電子棚札＃１等では、外部接続部材２９の無線復調機能を動作させて、無線変調信号Ｓ２９を復調し、復調信号から分割画像データＤ２９’を検出する。分割画像データＤ２９’は画像メモリ２５に記憶される。表示コントローラ２６及びタイミングコントローラ２７は表示ドライバ１１を制御する。
【０１０１】
この例で表示コントローラ２６及びタイミングコントローラ２７は、ＳＥＧ配線１３に接続された端子SEG０〜SEG６３に印加される分割画像データＤ２９’（画像Ｐ１’）に基づく画素電圧及び、ＣＯＭ配線１５に接続された端子COM０〜COM３１に印加される走査信号に基づいて図９Ａに示した画像Ｐ１を表示部１２の左上部に表示するように表示ドライバ１１を制御する。
【０１０２】
更に、ＳＥＧ配線１４に接続された端子SEG６４〜SEG１２７に印加される分割画像データＤ２９’（画像Ｐ２’）に基づく画素電圧及び、ＣＯＭ配線１５に接続された端子COM０〜COM３１に印加される走査信号に基づいて図９Ａに示した画像Ｐ２を表示部１２の右上部に表示するように表示ドライバ１１を制御する。
【０１０３】
また、ＳＥＧ配線１３に接続された端子SEG０〜SEG６３に印加される分割画像データＤ２９’（画像Ｐ３’）に基づく画素電圧及び、ＣＯＭ配線１６に接続された端子COM３２〜COM６３に印加される走査信号に基づいて図９Ａに示した画像Ｐ３を表示部１２の右上部に表示するように表示ドライバ１１を制御する。
【０１０４】
更に、ＳＥＧ配線１４に接続された端子SEG６４〜SEG１２７に印加される分割画像データＤ２９’（画像Ｐ４’）に基づく画素電圧及び、ＣＯＭ配線１５に接続された端子COM０〜COM３１に印加される走査信号に基づいて図９Ａに示した画像Ｐ４を表示部１２の右上部に表示するように表示ドライバ１１を制御する。これらにより、電子棚札＃１〜＃３において、図９Ａに示すような「ＡＢＣ」という文字画像を４分割表示できるようになる。
【０１０５】
このように第４の実施例に係る情報表示システム１０４によれば、表示部１２を４分割して表示駆動する場合であって、分割画像データＤ２９’が提供される情報処理装置４０から無線通信方式で分割画像データＤ２９’を受信し、当該分割画像データＤ２９’に基づく分割画像を表示する電子棚札＃１〜＃３には、第１〜第３の実施例のいずれかの表示部１２，２０又は、表示部３０を有する電子棚札＃１〜＃３が含まれるものである。この構成によって、軽薄小型の情報表示装置１００を使用した商品名や価格等の画像を表示する電子棚札（値札）を応用した電子棚札システムを提供できるようになる。
【０１０６】
この例では、パソコン等の外部機器から無線通信モデム４５、電子棚札＃１等の外部接続部材２９を介して画像データＤ２９を無線で受信し、画像を表示部１２で表示する場合について説明したが、これに限られることはない。例えば、パソコン等の外部機器と、予め、電子棚札＃１〜＃３とを通信ケーブルで接続し、電子棚札＃１等の外部接続部材２９を介して画像データＤ２９を有線で受信し、画像データＤ２９に基づく画像を表示部１２で表示してもよい。
【０１０７】
なお、画面１枚の画像を表示するための画像データＤ２９を４分割し、分割画像データＤ２９’を電子棚札＃１等へ送信し、表示部１２で分割表示をするようにしたので、情報処理装置４０から電子棚札＃１等に至る情報の伝達速度を高速化できるようになる。
【実施例５】
【０１０８】
続いて、図１１を参照して、第５の実施例に係る情報表示基板１０５の配線例について説明する。図１１に示す情報表示基板１０５は表面側から見た図である。この実施例では、表示ドライバ５１の長辺側にＳＥＧ配線用の端子部（端子SEG０〜SEG１２７）が設けられ、その短辺側にＣＯＭ配線用の端子部（端子COM０〜COM６３）が設けられ、この端子SEG０〜SEG１２７と表示部５２とがＳＥＧ配線５３を介して配線され、端子COM０〜COM６３と表示部５２とがＣＯＭ配線５５を介して配線される場合を挙げている。
【０１０９】
図１１に示す情報表示基板１０５は、表示ドライバ５１、表示部５２、ＳＥＧ配線５３及びＣＯＭ配線５５を有して構成される。表示部５２は、その全表示画素が１３４Line×７０Line＝９３８０dotsであり、有効表示領域は１２８Line×６４Line＝８１９２dotsである。左右・上下３Lineはダミー画素である。表示ドライバ５１に対向する側に角部ａを有している。
【０１１０】
表示ドライバ５１は、表示部５２に対向する側に角部ｃを有している。表示ドライバ５１は、表示部５２の短手方向（Ｙ）と並行する側にＳＥＧ配線５３を接続するための複数の画素電極用の端子部が設けられ、かつ、長手方向（Ｘ）と並行する側にＣＯＭ配線５５を接続するための複数の対向電極用の端子部が設けられている。図中、画素電極用の端子部は、端子SEG０〜SEG１２７で示している。対向電極用の端子部は、端子COM０〜COM６３で示している。
【０１１１】
ＳＥＧ配線５３は、表示部５２の短手方向（Ｙ）の上部側から引き出され、当該短手方向（Ｙ）と略直交する表示部５２の長手方向（Ｘ）に沿って当該表示部５２の角部ａに至り、当該角部ａを迂回する形態で画素電極用の端子SEG０〜SEG１２７に接続される。ＣＯＭ配線５５は、短手方向（Ｙ）と略直交する表示部５２の長手方向（Ｘ）から引き出され、表示ドライバ５１の近くまで延在され、当該表示ドライバ５１の角部ｃを迂回する形態で、対向電極用の端子COM０〜COM６３に接続される。
【０１１２】
この例では、表示部５２の角部ａを迂回するＳＥＧ配線５３の部分と、表示ドライバ５１の角部ｃを迂回するＣＯＭ配線５５の部分とが卍状に交差するようになる。卍状に交差する部分は、空間又は絶縁物が介在され、絶縁が保持される。
【０１１３】
このように第５の実施例に係る情報表示基板１０５によれば、表示部５２の長手方向（Ｘ）において、有効表示領域の左端側から右端側に順次、画像データＤ２９に基づく画素電圧を画像電極側基板（図示せず）に印加し、かつ、有効表示領域の上端側から下端側に順次、走査信号を対向電極側基板（図示せず）に伝送するようになされる。情報表示基板１０５では、画像電極側基板に印加された画素電圧及び対向電極側基板に伝送される走査信号により、画像データＤ２９に基づく画像を表示部５２に表示できるようになる。
【実施例６】
【０１１４】
続いて、図１２を参照して、第６の実施例に係る情報表示基板１０６の構成例について説明する。図１２に示す情報表示基板１０６は表面側から見た図である。この実施例では、表示ドライバ６１の長辺側にＣＯＭ配線用の端子部（端子COM０〜SEG６３）が設けられ、その短辺側上部にＳＥＧ配線用の端子部（端子SEG０〜SEG６３）が設けられ、その短辺側下部に残りのＳＥＧ配線用の端子部（端子SEG６４〜SEG１２７）が設けられる。この端子COM０〜COM６３と表示部５２とがＣＯＭ配線６５を介して配線され、端子SEG０〜SEG６３及び端子SEG６４〜SEG１２７と表示部５２とがＳＥＧ配線６３，６４を介して配線される場合を挙げている。
【０１１５】
図１２に示す情報表示基板１０６は、表示ドライバ６１、表示部６２、ＳＥＧ配線６３、６４及びＣＯＭ配線６５を有して構成される。表示部６２は、その全表示画素が１３４Line×７０Line＝９３８０dotsであり、有効表示領域は１２８Line×６４Line＝８１９２dotsである。左右・上下３Lineはダミー画素である。表示部６２は、表示ドライバ６１に対向する側に角部ａ，ｂを有している。
【０１１６】
表示ドライバ６１は、表示部６２に対向する側に角部ｃ，ｄを有している。表示ドライバ６１は、表示部６２の短手方向（Ｙ）と並行する側にＣＯＭ配線６５を接続するための複数の対向電極用の端子部が設けられ、かつ、長手方向（Ｘ）と並行する上部側に所定の本数のＳＥＧ配線６３を接続するための複数の画素電極用の端子部が設けられ、その下部側に残り数のＳＥＧ配線６４を接続するための複数の画素電極用の端子部が設けられる。
る。
【０１１７】
図中、対向電極用の端子部は、端子COM０〜COM６３で示し、画素電極用の端子部は、その上端側を端子SEG０〜SEG６３で示し、下端側を端子SEG６４〜SEG１２７で示している。
【０１１８】
ＳＥＧ配線６３の略半数は、表示部６２の短手方向（Ｙ）の左上部側から引き出され、当該短手方向（Ｙ）と略直交する表示部６２の長手方向（Ｘ）に沿って当該表示部６２の角部ａに至り、当該角部ａから離間する形態、かつ、表示ドライバ６１の角部ｃを迂回する形態で画素電極用の端子SEG０〜SEG６３に接続される。
【０１１９】
その残り半数は、表示部６２の短手方向（Ｙ）の右下部側から引き出され、当該短手方向（Ｙ）と略直交する表示部６２の長手方向（Ｘ）に沿って当該表示部６２の角部ｂに至り、当該角部ｂから離間する形態、かつ、表示ドライバ６１の角部ｄを迂回する形態で画素電極用の端子SEG６４〜SEG１２７に接続される。
【０１２０】
ＣＯＭ配線６５は、短手方向（Ｙ）と略直交する表示部６２の長手方向（Ｘ）から引き出され、表示ドライバ６１の近くまで延在され、そのまま対向電極用の端子COM０〜COM６３に接続される。
【０１２１】
この例では、表示部６２の角部ａから離間するＳＥＧ配線６３（端子SEG０〜SEG６３）部分と、表示ドライバ６１から延在されるＣＯＭ配線６５（COM０〜COM６３）部分との間、及び、表示部６２の角部ｂから離間するＳＥＧ配線６４（端子SEG６４〜SEG１２７）部分と、表示ドライバ６１から延在されるＣＯＭ配線６５（COM０〜COM６３）部分との間が交差していない（重なっていない）。
【０１２２】
このように第６の実施例に係る情報表示基板１０６によれば、表示部６２の長手方向（Ｘ）において、有効表示領域の左端側から中央部に順次、画像データＤ２９に基づく左半分の画像を表示するための画素電圧を画像電極側基板（図示せず）に印加し、かつ、その中央部から右端側に順次、画像データＤ２９に基づく残り半分の画像を表示するための画素電圧を画像電極側基板（図示せず）に印加する。また、有効表示領域の上端側から下端側に順次、走査信号を対向電極側基板（図示せず）に伝送するようになされる。
【０１２３】
これにより、情報表示基板１０６では、画像電極側基板に印加された画素電圧及び対向電極側基板に伝送される走査信号により、画像データＤ２９に基づく画像を表示部６２に表示できるようになる。しかも、第１の実施例に比べて、ＳＥＧ配線５３，５４とＣＯＭ配線６５との間に空間領域や、絶縁物を介在させる必要がない。これにより、ＳＥＧ配線６３（端子SEG０〜SEG１２７）の部分と、表示ドライバ６１から延在されるＣＯＭ配線６５（COM０〜COM６３）部分とを同一平面上に配置できるようになる。
【産業上の利用可能性】
【０１２４】
本発明は、軽薄小型の表示パネルを使用して商品名や価格等の画像を表示する電子棚札（値札）及びそれを応用した電子棚札システムに適用して極めて好適である。
【符号の説明】
【０１２５】
＃１〜＃３・・・電子棚札（情報表示装置）、１１，５１，６１・・・表示ドライバ（駆動部）、１２，２０，３０，５２，６２・・・表示部、１３，１４，５３，６３，６４・・・ＳＥＧ配線、１５，１６，５５，６５・・・ＣＯＭ配線、２１・・・ＲＯＭ、２２・・・ＲＡＭ、２３・・・ＥＥＰＲＯＭ、２４・・・ＣＰＵ、２５・・・画像メモリ、２６・・・表示コントローラ（表示制御部）、２７・・・タイミングコントローラ（タイミング制御部）、２８・・・電源、２９・・・外部接続部材、４０・・・情報処理装置、４１・・・マウス、４２・・・キーボード、４３・・・モニタ、４４・・・制御ユニット、４５・・・無線通信ユニット、１００・・・情報表示装置、１０１，１０５，１０６・・・情報表示基板
【図１】
2012098418.tif 000003
【図２】
2012098418.tif 000004
【図３】
2012098418.tif 000005
【図４】
2012098418.tif 000006
【図５】
2012098418.tif 000007
【図６】
2012098418.tif 000008
【図７】
2012098418.tif 000009
【図８】
2012098418.tif 000010
【図９】
2012098418.tif 000011
【図１０】
2012098418.tif 000012
【図１１】
2012098418.tif 000013
【図１２】
2012098418.tif 000014
【図１３】
2012098418.tif 000015
【手続補正書】
【提出日】平成23年10月17日(2011.10.17)
【手続補正１】
【補正対象書類名】特許請求の範囲
【補正対象項目名】請求項８
【補正方法】変更
【補正の内容】
【請求項８】
前記表示部は、
少なくとも、走査線用の透明導電膜を有した陽極、正孔を輸送する正孔輸送層、光を発する発光層、電子を輸送する電子輸送層及びデータ線用の透明導電膜を有した陰極を有する有機ＥＬ薄膜と、
カバー用のガラス基板と、
封止用のガラス基板とを備え、
前記カバー用のガラス板と封止用のガラスとで前記有機ＥＬ層を挟み込んだ有機ＥＬ表示基板を有することを特徴とする請求項１乃至５に記載の情報表示装置。